(57)【特許請求の範囲】
【請求項１】
所定容量の収納室を備え、樹脂製部材を用いて構成された既製の保管庫と、
前記保管庫の前記収納室内に後付けにより格納可能であって、前記収納室と同程度の容量を有し、保管対象物を保管すると共に、特定周波数の電磁波が漏出するのを防止できる１つのボックス本体部と、前記ボックス本体部と共に前記収納室内に格納可能であって、前記保管対象物に予め付されたＩＣタグのタグ情報を、前記特定周波数の無線通信により非接触で読み取るタグ情報読み取り部、アンテナ部、および、前記アンテナ部を介して読み取った前記タグ情報に基づいて、前記ボックス本体部内で保管される前記保管対象物の在荷情報を管理する管理制御部を有する１組の管理装置と、を含むシールドボックスと、
前記保管庫に設けられ、前記収納室内に格納された前記シールドボックスに対して動作用の電源を供給する電源ユニットと、
を備えることを特徴とする保管庫システム。
【請求項２】
前記管理装置は、前記ボックス本体部に備えられ、前記ボックス本体部が閉状態の際に、前記タグ情報の読み取りを行うように構成されたＲＦＩＤシステムであることを特徴とする請求項１に記載の保管庫システム。
【請求項３】
前記管理装置は、さらに外部通信ユニットを備え、
前記外部通信ユニットを介して、前記管理制御部によって管理される前記在荷情報を外部に通信可能であることを特徴とする請求項１または２に記載の保管庫システム。
【請求項４】
前記保管庫は、前記収納室内に、少なくとも１つの棚板を着脱自在に取り付け可能な冷蔵庫であることを特徴とする請求項１に記載の保管庫システム。
【請求項５】
前記ボックス本体部は、ステンレス製のメッシュまたは貫通孔を有するステンレス鋼により形成されて、所定の通気性を有することを特徴とする請求項１に記載の保管庫システム。 
【発明の詳細な説明】
【技術分野】
【０００１】
本発明は、ＲＦＩＤ（Radio Frequency IDentification）システムを用いて、冷蔵庫などの保管庫内に収納された物品（ワーク）を管理するための収納品管理機能を備えた保管庫システムに関する。
【背景技術】
【０００２】
従来、薬品などの保管対象物を物品として収納・保管する保管庫として、例えば特許文献１に記載されたような冷蔵庫が提案されている。
【０００３】
この特許文献１に記載の冷蔵庫は、出入り口を通過する物品の種別を含む物品情報を検出することによって、庫外に一時的に取り出された物品をも適切に管理できるようにしたものである。
【先行技術文献】
【特許文献】
【０００４】
【特許文献１】特許第３６３９４０８号公報
【発明の概要】
【発明が解決しようとする課題】
【０００５】
しかしながら、引用文献１に記載の冷蔵庫は、物品を出し入れする際に、その物品に関する情報を物品情報読み取り装置で読み取るので、読み取りの際に生じる電磁波が冷蔵庫の庫外に漏出する可能性がある。電磁波が冷蔵庫の庫外に漏出すると、物品に関する各種の情報が第三者に漏れてしまう恐れがあった。
【０００６】
本発明は、上記に鑑みてなされたもので、その目的とするところは、タグ情報の読み取りの際に生じる電磁波が庫外に漏出するのを防止でき、保管対象物に関する各種の情報が庫外に漏れ出るのを抑制することが可能な保管庫システムを提供することにある。
【課題を解決するための手段】
【０００９】
上記課題を達成するため、本発明の一態様の保管庫システムは、所定容量の収納室を備え、樹脂製部材を用いて構成された既製の保管庫と、前記保管庫の前記収納室内に後付けにより格納可能であって、前記収納室と同程度の容量を有し、保管対象物を保管すると共に、特定周波数の電磁波が漏出するのを防止できる１つのボックス本体部と、前記ボックス本体部と共に前記収納室内に格納可能であって、前記保管対象物に予め付されたＩＣタグのタグ情報を、前記特定周波数の無線通信により非接触で読み取るタグ情報読み取り部、アンテナ部、および、前記アンテナ部を介して読み取った前記タグ情報に基づいて、前記ボックス本体部内で保管される前記保管対象物の在荷情報を管理する管理制御部を有する１組の管理装置と、を含むシールドボックスと、前記保管庫に設けられ、前記収納室内に格納された前記シールドボックスに対して動作用の電源を供給する電源ユニットと、を備えることを特徴とする。
【００１０】
本発明の一態様によれば、保管対象物を保管する保管庫の収納室内に、保管庫とは別体として設けられるシールドボックスを格納できるようになる。これにより、保管庫で保管すべきボトルを、収納室内に格納されたシールドボックス内で保管できるようになる。したがって、シールド対策が施されていない一般的な冷蔵庫を保管庫として転用（流用）させることが容易であり、保管された保管対象物を管理するためのタグ情報を読み取る際にも、シールドボックス内で読み取りを行うことによって、読み取りの際に生じる電磁波が保管庫の庫外に漏出するのを確実に防止することが可能となる。
【発明の効果】
【００１１】
本発明によれば、タグ情報の読み取りの際に生じる電磁波が庫外に漏出するのを防止でき、保管対象物に関する各種の情報が庫外に漏れ出るのを抑制することが可能な保管庫システムを提供できる。
【図面の簡単な説明】
【００１２】
【図１】本発明の第１の実施の形態に係るシールドボックスを保管庫と組み合わせてシステム化するようにした場合（ドア開時）を例示する概略正面図である。
【図２】本実施の形態に係るシールドボックスを保管庫と組み合わせてシステム化するようにした場合（ドア閉時）を例示する概略斜視図である。
【図３】図２のシールドボックスを保管庫と組み合わせてシステム化するようにした場合（ドア閉時）を例示する概略正面図である。
【図４】保管庫としての適用が可能な冷蔵庫の内部構造（ドア開時）を例示する概略図である。
【図５】本実施の形態に係るシールドボックスの構成例を概略的に示す斜視図である。
【図６】本実施の形態に係るシールドボックスを保管庫と組み合わせてシステム化するようにした場合の回路構成例を示すブロック図である。
【図７】本発明の第２の実施の形態に係るシールドボックスを保管庫と組み合わせてシステム化するようにした場合の適用例を示す概略図である。
【図８】本実施の形態に係るシールドボックスの構成例を概略的に示す斜視図である。
【図９】図７の適用例において、シールドボックスの搬出時の処理の流れを示すフローチャートである。
【図１０】図７の適用例において、シールドボックスの搬送時の処理の流れを示すフローチャートである。
【図１１】図７の適用例において、シールドボックスの搬入時の処理の流れを示すフローチャートである。
【図１２】本発明の第３の実施の形態に係るシールドボックスを保管庫と組み合わせてシステム化するようにした場合（ドア閉時）を例示する概略斜視図である。
【発明を実施するための形態】
【００１３】
以下、本発明の態様として、いくつかの実施の形態について図面を参照しながら説明する。
【００１４】
なお、後述する各実施の形態においては、保管庫として、薬品などが収容された複数のボトル状の容器（以下、ボトルと略記する）を、好ましくは４℃程度で保管するために、例えば２℃から６℃の温度範囲で運転可能な冷蔵庫を例示して説明する。
【００１５】
また、各実施の形態においては、保管庫として、温度管理された状態で、連続運転が可能な一般的な冷蔵庫を例示して説明するが、これに限定されるものではない。
【００１６】
＜第１の実施の形態＞
［保管庫システムの全体構成］
図１〜図３は、本発明の第１の実施の形態に係るシールドボックスを保管庫と組み合わせてシステム化するようにした場合の構成（保管庫システム）を概略的に示すもので、図１は、開閉ドア３を開いた状態（ドア開時）を例示する正面図である。また、図２および図３は、開閉ドア３を閉じた状態（ドア閉時）をそれぞれ例示するもので、図２は斜視図であり、図３は正面図である。
【００１７】
図１〜図３に示すように、本実施の形態に係る保管庫システムは、例えば、保管庫１と、保管庫１とは別体として設けられると共に、保管庫１の収納室２０内に格納可能なシールドボックス（電磁シールド部）Ｓと、から構成されている。
【００１８】
シールドボックスＳは、特定周波数（例えば、９２０ＭＨｚや１３．５６ＭＨｚなど）の電波（電磁波）に対して高いシールド性を有するボックス本体部Ｈと、収納品管理のためのＲＦＩＤシステム（管理装置）Ｇと、を備えて構成されている。シールドボックスＳは、いわゆる内槽ボックスである。
【００１９】
本実施の形態においては、シールドボックスＳを、保管庫１の収納室２０よりも一回りほど小さい箱型の形状としている。これにより、シールドボックスＳは、収納室２０への格納が容易とされると共に、収納室２０と同程度の収納容量が確保されている。
【００２０】
すなわち、保管庫１は、図１〜図３に示すように、収納室２０内にシールドボックスＳを格納した状態において、開閉ドア３を完全に閉じることが可能となっている。したがって、収納室２０内にシールドボックスＳを格納した状態であっても、開閉ドア３を完全に閉じることによって、保管庫１の密閉性と気密性とが確保される。
【００２１】
また、収納室２０内にシールドボックスＳを格納した保管庫１では、たとえ、適用する冷蔵庫の電磁シールド（シールド性）が不十分であっても、ボックス本体部Ｈ内に十分に電磁シールドされたシールド空間Ｚを形成できる（例えば、図５参照）。
【００２２】
［保管庫の概要］
まずは、図４を参照して、本実施の形態に係るシールドボックスＳと組み合わせて好適な保管庫１について説明する。
【００２３】
図４は、保管庫１として適用可能な冷蔵庫の開閉ドア３を開時した状態（ドア開時）を概略的に示すものである。例えば、保管庫１は、好ましくは４℃程度の低温状態を維持するように、温度調整された状態で物品（保管対象物）である薬品などのボトルＢを収納できる冷蔵庫であって、市販されている既製の冷蔵庫を容易に転用することが可能である。
【００２４】
なお、既製の冷蔵庫としては、特に限定されるものではないが、よりベーシックで、安価な、ごく一般的なものとすることによって、システム化する場合において、一層の低廉化を図ることができる。
【００２５】
すなわち、保管庫１は、例えば図４に示すように、開口部１０を有する収納室２０を備えた冷蔵庫本体２と、冷蔵庫本体２を構成する筐体の開口部１０を開閉する開閉ドア（片開き式の１枚扉）３と、を備える。開閉ドア３は、施解錠が可能とされている。
【００２６】
開閉ドア３としては、片開き式の１枚扉に限らず、観音開き式の２枚扉やスライド式の開閉扉、または、シャッタ式の扉なども適用できる。
【００２７】
冷蔵庫本体２は、筐体全体が樹脂製の部材を用いて構成されている。冷蔵庫本体２としては、少なくとも開閉ドア３を除いた筐体の外周部分が金属製であり、例えばＳＵＳ（ステンレス鋼）などの電磁波に対するシールド性を有する金属部材により形成されることが望ましい。
【００２８】
ここで、冷蔵庫本体２は、好ましくは箱型の筐体であり、上面４と、下面（底面）５と、左右の側面６，７と、背面（裏面）８と、前面（開口面）９と、を有している。また、冷蔵庫本体２は、内部に収納室２０を有する。収納室２０は、ほぼ直方体形状とされて、内面としての、上面２０Ａ、下面（底面）２０Ｂ、左右の側面２０Ｃ，２０Ｄ、および、背面２０Ｅを有している。冷蔵庫本体２の前面９は、上記した開閉ドア３の内側（裏面）に対応している。
【００２９】
冷蔵庫本体２には、収納室２０内の温度調整を行うための温度調整空気導入経路３０が、収納室２０の内面に沿って設けられている。温度調整空気導入経路３０は、後述する温度調整器３１からの温度調整空気を収納室２０内に循環させるためのものである。
【００３０】
温度調整器３１は、図示していない熱交換器とヒータとを有しており、収納室２０内の温度調整を所定の範囲内で行うことができる。
【００３１】
収納室２０には、少なくとも１つ（ここでは、２段分）の棚板２１が着脱自在に設けられている。上下方向の位置である、縦方向の棚板２１の幅（間隔）を変更することによって、より高さのあるボトルＢも収納可能であり、上下方向に複数のボトルＢを積み重ねて収納させることもできる。また、各棚板２１には、ボトルＢを収納可能な樹脂からなるケースや後述する小型のシールドボックスＳａなども収納できる。
【００３２】
冷蔵庫として使用する場合、棚板２１の配置の位置や形状、枚数などに特に制限はなく、収納されるボトルＢを効果的に低温状態で保管できる範囲で任意に設定できる。つまり、保管庫１で保管されるボトルＢは、あまり間隔を詰めず、隣接するボトルＢとの間に適当な余裕（隙間）を持った状態で収納するのが望ましい。
【００３３】
また、収納室２０は、内部をほぼ空にした状態において、シールドボックスＳの格納が可能とされている。すなわち、本実施の形態に係る保管庫システムにおいては、例えば、収納室２０の棚板２１をすべて取り外し、収納室２０内をほぼ空にした状態の冷蔵庫が保管庫１として用いられる。
【００３４】
そして、収納室２０に格納されたシールドボックスＳ内において、ボトルＢが収納・保管されることにより、ボトルＢに対する温度や在荷などの管理と共に、十分なシールド性の確保が可能とされる。
【００３５】
なお、収納室２０内には、さらに、後述する制御用温度計６０が配置されている。制御用温度計６０は、収納室２０の温度調整に用いられる測定温度情報ＭＭを検出するためのもので、例えば熱電対を用いることができる。制御用温度計６０は、例えば、収納室２０内において最も温度変化が大きい、温度変化に敏感な箇所に配置されるようになっている。
【００３６】
制御用温度計６０は、シールドボックスＳの収納室２０内への格納に伴って、例えばブルートゥース（登録商標）などの無線通信により、測定温度情報ＭＭを後述する在荷監視部（管理制御部）Ｍに提供可能な構成としても良い。
【００３７】
測定温度情報ＭＭは、例えば、保管されているボトルＢ内に収容されている薬品などの温度を直接的に測定するボトル温度計などを用いて取得するようにしても良い。または、ボトルＢ内に実際に収容されている薬品などは非常に高価な場合もあるため、測定温度情報ＭＭとしては、ボトル温度計などを用いてダミーのボトル（図示省略）の内部の温度を間接的に測定するようにしても良い。
【００３８】
ここで、ボトルＢは、その内部に収容される薬品などの影響を受けにくく、また、薬品などに影響しにくい、例えばガラス瓶などのガラス製の容器によって構成されている。収納室２０に収納され、収納室２０内で保管されるボトルＢには、それぞれ、ＲＦＩＤタグ（ＩＣタグ）Ｔが予め付されている。ＲＦＩＤタグＴには、例えば、ボトルＢの製造番号（ロット番号）や、ボトルＢ内に収容されている薬品などの種類（薬品名）、または、その薬品の使用期限などといったタグ情報（物品情報）が事前に登録されている。
【００３９】
なお、収納室２０内では、ボトルＢ以外にも、ＲＦＩＤタグを予め付すことによって、薬品などが収容されている箱体や、薬品以外の、各種の物品を保管することも可能である。
【００４０】
そして、冷蔵庫本体２の前面９に対して、例えば図１または図４に示すように、収納室２０にボトルＢを出し入れするための開口部１０が矩形状に設けられている。開口部１０を開閉するための、例えば片開き式の長方形状の開閉ドア３は、冷蔵庫本体２に対し、ヒンジ部を用いて開閉可能に取り付けられている。
【００４１】
冷蔵庫本体２および開口部１０の開閉ドア３は、庫外に対する密封性と断熱性とを保持している。特に、開閉ドア３は、冷蔵庫本体２の前面９の開口部１０を左右のいずれかに開閉可能とすると共に、閉時には、開口部１０を隙間なく閉じることができる。
【００４２】
また、開閉ドア３は、例えば図２および図３に示すように、取っ手３Ａを備えると共に、ドア閉時にも冷蔵庫本体２の収納室２０内が見えるように、透光性を有する、例えばガラス窓３Ｒを備えている。そして、開閉ドア３の、ガラス窓３Ｒの周辺部分および開口部１０の周囲部分には、図示していない金属フィンガやパッキンなどが配置されている。したがって、開閉ドア３は、開口部１０を閉じることにより、内部を透過しつつ、収納室２０内を密閉状態に保持できる。
【００４３】
［シールドボックスの概要］
次に、図５を参照して、本実施の形態に係る保管庫システムの、電磁シールド部として適用可能なシールドボックスＳについて説明する。
【００４４】
図５は、シールドボックスＳの構成を、ボックス本体部Ｈを透過して示すものである。すなわち、シールドボックスＳは、内部に電磁シールドによりシールド空間Ｚが確保されたボックス本体部Ｈと、シールド空間Ｚに対するボトルＢの出し入れに伴う在荷情報を管理するＲＦＩＤシステムＧと、を備えている。
【００４５】
シールドボックスＳは、保管庫１とは別体として設けられるものであって、例えば、ＲＦＩＤシステムＧごと冷蔵庫本体２の収納室２０内に格納可能な構成とされている。
【００４６】
すなわち、ボックス本体部Ｈは、特定周波数の電波（電磁波）に対して、高いシールド性を有するステンレス製のメッシュなどにより、収納室２０よりも一回りほど小さい箱型に形成されている。または、シールド性を損なわない程度の貫通孔がいくつか開孔された、例えばステンレス鋼を用いて形成されるようにしても良い。これにより、十分な通気性が確保されることによって、シールドボックスＳが収納室２０内に格納された際には、シールド空間Ｚ内の温度が、収納室２０と同程度の低温状態となるように制御される。
【００４７】
そして、ボックス本体部Ｈは、後述する認証付ロック機構１２による施解錠が可能とされている。
【００４８】
認証付ロック機構１２とは、例えば図１に示したように、認証を受けた使用者が認証用のカードキー（認証用ＩＤカードなど）を近づけることなどにより、ボックス本体部Ｈを施錠したり、逆に、ボックス本体部Ｈの施錠を解除したりするものである。認証付ロック機構１２としては、例えば、商用電源や後述する電源ユニット５５からの電源供給を受けて動作する電磁式ドアロックを採用できる。
【００４９】
認証付ロック機構１２としては、例えば、タッチパネルより入力されるパスワード（暗証番号）や、画像処理技術を用いた指紋などの身体的特徴を用いるものであっても良い。
【００５０】
このように、認証付ロック機構１２を備えることによって、保管庫１が通常の連続運転を行っている際に、認証を受けた使用者以外の者（非認証者または第三者ともいう）がシールドボックスＳを開けるのを防止できる。したがって、シールドボックスＳ内で保管されているボトルＢを、使用者以外の者が勝手に取り出すことはできない。これにより、収納されているボトルＢの保管上のセキュリティを確保できる。
【００５１】
また、認証を受けた使用者が認証付ロック機構１２を操作してボックス本体部Ｈの施錠を解除しようとした場合には、例えばＲＦＩＤシステムＧの表示ユニットＤを用いて、その認証の結果を表示するようにしても良い。表示する認証の結果としては、例えば、ボトルＢの出し入れを行った使用者を特定するための登録番号や使用者名などの使用者情報があげられる。
【００５２】
ボックス本体部Ｈの前面には、例えば図１に示したように、シャッタ部２４が開閉可能に設けられる。シャッタ部２４も電磁シールドする機能を備えた構成とすることによって、シャッタ部２４を閉じることにより、ボックス本体部Ｈのシールド空間Ｚ内が完全にシールド状態に保たれる。また、シャッタ部２４を設けることによって、保管されるボトルＢのセキュリティをより向上させることができる。
【００５３】
なお、シャッタ部２４としては、ロール式、ジャバラ式、ブラインド型、または、間仕切り型など、各種のシャッタの適用が可能である。また、認証付ロック機構による施解錠が、ボックス本体部Ｈと同様に可能とされるようにすることによって、保管されているボトルＢの保管上のセキュリティをより強固なものとすることができる。
【００５４】
このように、ボックス本体部Ｈの周囲をすべて電磁的に遮蔽し、その内側の、シールド空間Ｚの部分を電磁シールドさせたシールドボックスＳを、保管庫１の収納室２０内に格納させる。これにより、保管庫１の電磁シールド性が十分でなくとも、低温状態を保持したままの状態で、収納室２０内に確実にシールド空間Ｚを確保できるようになる。
【００５５】
ＲＦＩＤシステムＧは、例えば図５に示すように、シールド空間Ｚ内に配置され、シールド空間Ｚ内の各ボトルＢに予め付されたＲＦＩＤタグＴからの電波を受信するアンテナ（アンテナ部）Ａを備える。また、ＲＦＩＤシステムＧは、アンテナＡによる、ＲＦＩＤタグＴからの電波の受信に伴って、ＲＦＩＤタグＴのタグ情報を無線通信により非接触で読み取るタグリーダ（タグ情報読み取り部）Ｒを備える。さらに、ＲＦＩＤシステムＧは、読み取ったＲＦＩＤタグＴのタグ情報に基づいて、例えばボトルＢの在荷情報を管理する在荷監視部Ｍを備えている。
【００５６】
なお、ＲＦＩＤシステムＧとしては、外部通信ユニットＵをさらに備えるようにしても良い。これにより、在荷監視部Ｍで管理される、当該保管庫システムの在荷情報に応じた監視情報を無線または有線によって外部に送信させることが可能となり、遠隔地などでの集中管理や一括管理を行うことができるようになる。
【００５７】
同様に、ＲＦＩＤシステムＧが表示ユニットＤを備えるようにすることによって、在荷情報や使用者情報などを目視可能にデジタル表示できる。
【００５８】
このように、シールドボックスＳにおいては、ボックス本体部Ｈのシールド空間Ｚ内に、１つあるいは複数のボトルＢを収納・保管できるようになっている。各ボトルＢには、例えばワクチンなどの液状の薬品などが収容されている。
【００５９】
したがって、液状の薬品などが収容されているボトルＢは、シールドボックスＳ内に収納されることによって電磁的にシールドされると共に、保管庫１により、低温状態に温度調整されて保管されることになる。
【００６０】
アンテナＡは、例えば、小型の薄板状アンテナであり、ボックス本体部Ｈの内側（シールド空間Ｚ内）の、背面、一側面、および、上面にそれぞれ配置されている。なお、アンテナＡのサイズや個数、配置の位置などは、ボックス本体部Ｈの寸法やＲＦＩＤタグＴからの電波の強度（受信感度）などに応じて最適化することが可能である。
【００６１】
特に、ボックス本体部Ｈは、電磁シールドされている。したがって、アンテナＡは、シールド空間Ｚの内側であれば、ボックス本体部Ｈの下面など、任意の位置に設置可能である。
【００６２】
一方、ＲＦＩＤシステムＧの、少なくとも外部通信ユニットＵは、ボックス本体部Ｈの外側（シールド空間Ｚ外）に配置される。特に、保管庫１の冷蔵庫本体２が電磁シールドされていない場合には、タグリーダＲ、在荷監視部Ｍ、および、外部通信ユニットＵは、ボックス本体部Ｈの外側であれば任意の位置に設置可能である。
【００６３】
ＲＦＩＤシステムＧのタグリーダＲなどを、例えば、ボックス本体部Ｈの外側に設置するようにした場合、アンテナＡとタグリーダＲとが、それぞれ有線ケーブル（外部通信用ケーブル）Ｋを介して電気接続される。有線ケーブルＫは、ボックス本体部Ｈを貫通しており、その貫通部分には漏磁防止策が施されている。つまり、貫通部分と有線ケーブルＫとの隙間から、シールド空間Ｚ内に電磁波が入り込むことがないように構成されている。
【００６４】
有線ケーブルＫとは、例えば、防磁用の金属製のメッシュが配置された防磁ケーブルである。防磁ケーブルを採用することによって、シールド空間Ｚでは、ボックス本体部Ｈの外側から有線ケーブルＫを介して電磁波が混入することや、逆に、漏出（漏磁）することがないように防止される。
【００６５】
本実施の形態において、保管庫１の収納室２０内に格納されたシールドボックスＳの、ボックス本体部Ｈのシールド空間Ｚ内で保管される各ボトルＢには、予めＲＦＩＤタグＴがそれぞれ付与されている。各ＲＦＩＤタグＴには、当該ボトルＢに関する個別の物品情報であるタグ情報が事前に登録されている。
【００６６】
そして、ＲＦＩＤシステムＧのタグリーダＲによって、アンテナＡを介して、各ＲＦＩＤタグＴから送信されてくる各ボトルＢのタグ情報の読み取りと、読み取ったタグ情報の在荷監視部Ｍへの転送と、が行われる。
【００６７】
すなわち、タグリーダＲからは、不定期的（例えば、開閉ドア３が閉じられたことを契機とする）に、アンテナＡを介して、シールド空間Ｚ内に保管されている各ボトルＢに対して、所定の問い合わせが行われる。開閉ドア３が閉じられた状態のドア閉時においては、定期的に、シールド空間Ｚ内に保管されている各ボトルＢに対して、所定の問い合わせが行われるようにしても良い。
【００６８】
この問い合わせに対して、各ボトルＢのＲＦＩＤタグＴからは、それぞれが記憶するタグ情報がアンテナＡへと送信される。
【００６９】
これにより、タグリーダＲにおいて、個別のタグ情報として、例えば、各ボトルＢの製造番号（ロット番号）、収容されている薬品などの種類、または、使用期限などが非接触で読み取られる。
【００７０】
この場合、ＲＦＩＤシステムＧのアンテナＡは、電磁シールドされたシールド空間Ｚ内に配置されている。したがって、ボックス本体部Ｈが閉の状態のときにアンテナＡで受信したタグ情報は、シールド空間Ｚ内に保管されたボトルＢのＲＦＩＤタグＴから送信されたタグ情報のみとなる。
【００７１】
すなわち、開閉ドア３のドア閉時には、通常、シールドボックスＳのボックス本体部Ｈおよびシャッタ部２４が共に閉じられる。よって、開閉ドア３のドア閉時において、各ボトルＢからのタグ情報の読み取りを行うようにすることにより、シールド空間Ｚ内で保管されているボトルＢのタグ情報だけを取得できる。
【００７２】
その際、複数のアンテナＡをシールド空間Ｚ内の互いに異なる位置に配置し、各ボトルＢがシールド空間Ｚ内のどの場所にあっても、全ボトルＢのＲＦＩＤタグＴからのタグ情報を受信できるようにすることで、より確実なタグ情報の読み取りが可能となる。
【００７３】
そして、在荷監視部Ｍでは、タグリーダＲがアンテナＡを介して読み取った、各ボトルＢのＲＦＩＤタグＴに登録されている個別のタグ情報に基づいて、各ボトルＢの在荷情報を管理する。
【００７４】
在荷監視部Ｍにおいては、在荷情報から各ボトルＢの監視情報を作成するようにしても良い。監視情報とは、例えば、外部通信ユニットＵを通じて、外部の集中監視センタなどの所定の情報ステーション（図示省略）に、無線または有線により送信される情報である。
【００７５】
本実施の形態に係る保管庫システムにおいては、シールドボックスＳのボックス本体部Ｈが閉じられた状態では、シールド空間Ｚが完全に電磁シールドされている。すなわち、シールド空間Ｚが閉時の際に、タグリーダＲによって、シールドボックスＳ内に収納されていないボトルのタグ情報が誤読されることはない。
【００７６】
これにより、ＲＦＩＤシステムＧによって、ＲＦＩＤタグＴが付されたボトルＢのシールド空間Ｚへの出し入れを正確に管理することができ、在庫などの、シールド空間Ｚ内のＲＦＩＤタグＴからのタグ情報に基づいた正確な在荷情報の取得が容易に可能となる。
【００７７】
特に、各ボトルＢの出し入れされた日時を管理できるようにすることで、保管庫１内で保管されていなかった時間の把握が可能となって、薬品などの品質管理に利用することができる。
【００７８】
しかも、シールドボックスＳのボックス本体部Ｈが閉じられた状態では、タグ情報の読み取りの際に生じる電磁波が、保管庫１の庫外に漏出するのを容易に防止できる。これにより、保管庫１で保管されるボトルＢに関する各種の情報が、不用意に保管庫１の庫外に漏れ出るのを簡単に抑制することが可能となる。
【００７９】
［保管庫システムの制御ブロック］
次に、図６を参照して、システム化した場合の制御ブロックについて説明する。
【００８０】
図６に例示するように、本実施の形態に係る保管庫システムは、保管庫１と、該保管庫１とは別体として設けられ、収納室２０内に格納されたシールドボックスＳと、で構成されている。
【００８１】
保管庫１は、市販されている一般的な冷蔵庫であって、冷蔵庫本体２には、温度調整器３１、制御用温度計６０、異常警報部７１、および、保管庫制御部８０などが設けられている。また、保管庫１には、電源ユニット５５やドア開閉検知器（図示省略）などを追加で設けることも可能である。
【００８２】
制御用温度計６０は、温度調整に用いられる測定温度情報ＭＭを検出するためのもので、収納室２０内において、庫内温度の変化が激しい、開口部１０の近傍などに配置される。制御用温度計６０は、例えば、保管庫制御部８０とＲＦＩＤシステムＧの在荷監視部Ｍとに電気的に接続されている。
【００８３】
保管庫制御部８０は、制御用温度計６０、温度調整器３１および異常警報部７１などと電気的に接続されている。
【００８４】
温度調整器３１は、制御用温度計６０からの測定温度情報ＭＭに基づいて、保管庫制御部８０によって温度調整が制御され、収納室２０内の温度が一定の低温状態を連続して保持するようになっている。これにより、各ボトルＢの温度が、好ましくは４℃程度に保持される。
【００８５】
異常警報部７１は、例えば、収納室２０内の温度が所定温度（例えば、６℃）を上回ったときに異常警報灯を点灯させて、温度の異常上昇を警告する。また、収納室２０内の温度が所定温度（例えば、２℃）を下回ったときに異常警報灯を点灯させて、温度の異常下降を警告する。また、収納室２０内の温度が所定の制御温度（例えば、２℃〜６℃）の範囲から外れたときに、警報音を発生する異常警報音発生部を備えるようにしても良い。
【００８６】
また、開閉ドア３の開放が連続して予め設定された時間を経過した場合に、異常警報部７１から警報音を発生させることも可能である。
【００８７】
制御用温度計６０によって検出された測定温度情報ＭＭは、例えば、ＲＦＩＤシステムＧの表示ユニットＤによりデジタル表示されるようにしても良い。
【００８８】
電源ユニット５５は、収納室２０内にシールドボックスＳが格納された際に、シールドボックスＳに動作用の電源を供給するためのもので、例えば、ワイヤレス給電などの非接触式またはコネクタなどを用いた伝送式の電力装置によって構成される。
【００８９】
一方、シールドボックスＳは、ＲＦＩＤシステムＧおよび認証付ロック機構１２を備えると共に、在荷監視部Ｍには、各種の基準値を記憶する基準値記憶部Ｆなどが接続されている。
【００９０】
認証付ロック機構１２は、例えばシールドボックスＳのボックス本体部Ｈが不用意に開けられるのを制限するためのもので、施錠状態か／解錠状態であるかを示す施錠解錠情報ＲＲを、在荷監視部Ｍに出力する。
【００９１】
ＲＦＩＤシステムＧは、例えば図５に示したように、各ボトルＢに予め付されたＲＦＩＤタグＴからタグ情報を読み取るタグリーダＲと、アンテナＡと、在荷監視部Ｍと、を備えて構成されている。また、ＲＦＩＤシステムＧとしては、表示ユニットＤや外部通信ユニットＵなどを備えるようにしても良い。
【００９２】
ＲＦＩＤシステムＧにおいては、アンテナＡを介して、タグリーダＲによりシールド空間Ｚ内で保管される各ボトルＢのＲＦＩＤタグＴからのタグ情報を読み取り、その読み取ったタグ情報に基づいて、在荷監視部Ｍにより在荷情報などの管理が行われる。
【００９３】
また、ＲＦＩＤシステムＧでは、タグリーダＲによって読み取られたタグ情報や、タグ情報に基づく在荷情報などの表示ユニットＤでの表示、または、監視情報の外部通信ユニットＵからの外部への送信などが行われる。
【００９４】
表示ユニットＤにおいては、例えば在荷情報に基づいて、ボトルＢ内に収容されている薬品などの使用期限切れが間近に迫っていることを自動的に警告するようにしても良い。
【００９５】
特に、シールド空間Ｚ内より取り出されたボトルＢが所定の時間を経過した後に再びシールド空間Ｚ内に返却される際に、例えば、当該ボトルＢは薬品としての効力が著しく低下しており、再度の保管には適さないことなどを注意喚起するようにしても良い。
【００９６】
上記したように、本実施の形態によれば、タグ情報の読み取りの際に生じる電磁波が保管庫１の庫外に漏出するのを容易に防止でき、保管されているボトルＢに関する各種の情報が庫外に漏れ出るのを簡単に抑制することが可能となる。
【００９７】
すなわち、第１の実施の形態に係る保管庫システムにおいては、保管庫１の収納室２０内にシールドボックスＳを格納させ、そのシールド空間Ｚにおいて、ボトルＢを保管できるようにしている。これにより、保管庫１としては、一般的な冷蔵庫を用いることが可能であり、しかも、保管庫１の収納室２０内に格納可能なシールドボックスＳを、ＲＦＩＤシステムＧを備えた簡素な構成とすることができる。したがって、タグ情報を非接触で読み取ることによって、保管するボトルＢを正確に管理することが容易に可能な保管庫システムを、より安価に実現できる。
【００９８】
特に、シールド空間Ｚが閉じられた状態において、タグ情報の読み取りを行うことにより、タグ情報の読み取りの際に生じる電磁波が保管庫１の庫外に漏出するのを容易に防止できるものである。
【００９９】
上述した第１の実施の形態に係る保管庫システムにおいては、保管庫１の収納室２０内に、１つのシールドボックスＳを格納するようにした場合を例示して説明したが、これに限らず、例えば複数のシールドボックスを同時に格納可能な構成とすることもできる。
【０１００】
＜第２の実施の形態＞
図７は、本発明の第２の実施の形態に係るシールドボックスを保管庫と組み合わせてシステム化した保管庫システムの適用例を概略的に示すものである。ここでは、病院の調剤室５０などに設置された大型の保管庫システムで保管されているボトルＢを、シールドボックスＳａごと、自宅または治療室や病室５１などに設置される小型の保管庫システムへ移送（搬送）する場合を例示している。
【０１０１】
なお、上述した第１の実施の形態に示した保管庫システムと同一部分には同一または類似の符号を付して、詳しい説明は省略する。例えば、大型の保管庫システムおよび小型の保管庫システムにおける各保管庫１は、サイズが異なる場合はあるものの、いずれも第１の実施の形態で示した保管庫システムの保管庫１とほぼ同様の構成とされている。
【０１０２】
図７において、電磁シールド部である小型のシールドボックスＳａは、それぞれ、大型の保管庫システムにおける保管庫（例えば、メインの保管庫）１または小型の保管庫システムにおける保管庫（例えば、サブの保管庫）１の、各収納室２０内に格納される。メインの保管庫１の収納室２０は、例えば、６個の小型のシールドボックスＳａを同時に格納可能とされる。サブの保管庫１の収納室２０は、例えば、１個ないし数個の小型のシールドボックスＳａを収納可能とされる。
【０１０３】
本適用例においては、例えば、調剤室５０などのメインの保管庫１内より小型のシールドボックスＳａが１つ取り出され、搬送用コンテナ（搬送装置）４０内に格納された状態で搬送される。そして、該当する患者さんの病室５１などまで搬送された後、サブの保管庫１の収納室２０内に小型のシールドボックスＳａごと格納される。これにより、小型のシールドボックスＳａ内に収納されているボトルＢを、低温状態を保ったまま、サブの保管庫１で保管することが可能となる。
【０１０４】
保管庫１とは別体として設けられる小型のシールドボックスＳａは、ボックス本体部Ｈａのサイズが異なるだけで、基本的には、図５に示したシールドボックスＳと同様な構成を有している。
【０１０５】
すなわち、小型のシールドボックスＳａは、例えば図８に示すように、内部にシールド空間Ｚが確保されたボックス本体部Ｈａと、シールド空間Ｚに対するボトルＢの出し入れに伴う在荷情報を管理するＲＦＩＤシステムＧと、を備えている。
【０１０６】
ボックス本体部Ｈａは、ほぼ直方体状の箱型を有している。ボックス本体部Ｈａは、特定周波数の電波（電磁波）に対して、高いシールド性を有するステンレス製のメッシュなどにより形成されている。または、シールド性を損なわない程度の貫通孔がいくつか開孔された、例えばステンレス鋼を用いて形成されるようにしても良い。これにより、ボックス本体部Ｈａの十分な通気性が確保される。
【０１０７】
ボックス本体部Ｈａは、開閉蓋部５７の認証付ロック機構ＴＰによる施解錠が可能とされている。これにより、ボックス本体部Ｈａに収納されたボトルＢの保管上のセキュリティが確保されている。
【０１０８】
ＲＦＩＤシステムＧは、アンテナＡ、アンテナＡに有線ケーブルＫを介して電気接続されたタグリーダ、在荷監視部Ｍ、および、外部通信ユニットＵを備えている。これにより、例えば図７に示すように、小型のシールドボックスＳａごとに保管されているボトルＢの在荷情報などを、情報ステーションＩＳなどの外部において、集中的に一括して管理できるようになる。
【０１０９】
なお、ＲＦＩＤシステムＧとしては、ボックス本体部Ｈａ内に収納中のボトルＢのタグ情報などをデジタル表示するための、表示ユニットをさらに備えるようにしても良い。
【０１１０】
このような構成の小型のシールドボックスＳａにおいては、ボックス本体部Ｈａのシールド空間Ｚ内に、１つあるいは複数のボトルＢを収納・保管できるようになっている。各ボトルＢには、例えば、個人向けの特別な治療薬やワクチンなどの特定の薬品などが収容される。
【０１１１】
したがって、小型のシールドボックスＳａごとに収納するボトルＢを特定させる、つまり、１つのシールドボックスＳａで保管する薬品を限定することにより、患者個人や病室または疾病単位で薬品を管理できるようになる。
【０１１２】
なお、小型の保管庫システムにおける保管庫１をメインの保管庫とし、大型の保管庫システムにおける保管庫１をサブの保管庫として、患者の血液などの検体を収容したボトルＢを小型のシールドボックスＳａ内に収納し、搬送する場合にも同様に適用できる。
【０１１３】
または、大型の保管庫システムにおける保管庫１をサブの保管庫として、医薬品メーカなどのメインの保管庫１から薬品などを搬入する場合にも適用できる。
【０１１４】
図７において、搬送用コンテナ４０は、携帯可能であって、例えば、小型のシールドボックスＳａを１つずつ収容し、低温状態を保ったまま、搬送することが可能な構成とされている。搬送用コンテナ４０は、例えば発砲スチロールなどからなる筐体内に、保冷器４１、温度センサ（温度検出手段）４２、位置センサ（位置検出手段）４３、および、外部通信器４４を備えている。保冷器４１は、搬送用コンテナ４０の内部温度を所定の低温状態に保つためのものである。温度センサ４２は、搬送時の温度情報を直接的または間接的に取得するためのものである。位置センサ４３は、搬送時の位置情報を取得するためのもので、例えばＧＰＳ（Global Positioning System）受信機である。外部通信器４４は、位置情報や温度情報を外部の情報ステーションＩＳなどに送信するためもので、所謂、外部通信ユニットが用いられる。
【０１１５】
なお、小型のシールドボックスＳａ内に収納されているボトルＢの在荷情報は、ＲＦＩＤシステムＧの外部通信ユニットＵによっても送信可能であるが、外部通信器４４を用いて、外部の情報ステーションＩＳなどに送信するようにしても良い。
【０１１６】
情報ステーションＩＳは、例えば遠隔地において、在荷情報や在荷情報に応じた監視情報に基づいてボトルＢを管理すると共に、搬送用コンテナ４０により搬送中の小型のシールドボックスＳａ内に収納されているボトルＢをも管理することが可能となる。つまり、小型のシールドボックスＳａの搬送中は、搬送用コンテナ４０からの温度情報に基づいて、小型のシールドボックスＳａ内に収納されているボトルＢの温度管理を行うことができる。同様に、位置情報に基づいて、小型のシールドボックスＳａ内に収納されているボトルＢのトレーサビリティを実現することができる。
【０１１７】
なお、本実施の形態においても、開閉ドア３の内側に認証付ロック機構を備えたシャッタ部を設けることによってセキュリティの向上が可能であり、該シャッタ部がシールド機能を備えることにより、閉時には収納室２０内をシールド状態に保つことが可能となる。
【０１１８】
次に、図７に示した適用例の構成において、小型のシールドボックスＳａの搬送時の処理について、図９〜図１１のフローチャートを参照して説明する。
【０１１９】
図９は、小型のシールドボックスＳａをメインの保管庫１より搬出する際の処理の流れを示すものである。
【０１２０】
調剤室５０などの大型の保管庫システムで保管されているボトルＢを、病室５１などの小型の保管庫システムへ移す場合、まず保管庫制御部８０により、例えば、メインの保管庫１の開閉ドア３がオープンされたか否かがチェックされる（ステップＳＴ１）。メインの保管庫１において、開閉ドア３のオープンが判断されるまで（ステップＳＴ１のＮＯ）、このステップＳＴ１での処理が繰り返される。
【０１２１】
ステップＳＴ１において、開閉ドア３がオープンされたことが判断されると（ステップＳＴ１のＹＥＳ）、収納室２０から所望する小型のシールドボックスＳａの取り出しが行われる（ステップＳＴ２）。小型のシールドボックスＳａの取り出しを行わない場合（ステップＳＴ２のＮＯ）、そのまま処理は終了される。
【０１２２】
一方、所望の小型のシールドボックスＳａの取り出しが行われると（ステップＳＴ２のＹＥＳ）、在荷情報などに基づいて、その取り出された小型のシールドボックスＳａの特定が行われる（ステップＳＴ３）。
【０１２３】
そして、特定された小型のシールドボックスＳａの在荷情報などが、ＲＦＩＤシステムＧの外部通信ユニットＵによって、外部の情報ステーションＩＳに送られる（ステップＳＴ４）。
【０１２４】
この後、メインの保管庫１の開閉ドア３がクローズされたか否かがチェックされる（ステップＳＴ５）。そして、メインの保管庫１において、保管庫制御部８０により開閉ドア３のクローズが判断されるまで（ステップＳＴ５のＮＯ）、このステップＳＴ５での処理が維持される。
【０１２５】
ステップＳＴ５において、保管庫制御部８０により開閉ドア３がクローズされたことが判断されると（ステップＳＴ５のＹＥＳ）、搬出に係る一連の処理は終了される。
【０１２６】
図１０は、小型のシールドボックスＳａをメインの保管庫１よりサブの保管庫１に搬送する際の処理の流れを示すものである。
【０１２７】
搬送時、調剤室５０などの大型の保管庫システムにおけるメインの保管庫１の収納室２０より取り出された小型のシールドボックスＳａは、その場で、直ちに保冷器４１によって温度制御された搬送用コンテナ４０の筐体内に収容される（ステップＳＴ１１）。それまで、処理はここで待機状態となる（ステップＳＴ１１のＮＯ）。
【０１２８】
小型のシールドボックスＳａが搬送用コンテナ４０内に収容されると（ステップＳＴ１１のＹＥＳ）、搬送用コンテナ４０は、医師や看護師などによって移送され、該当する病室５１などまで搬送される。
【０１２９】
搬送時、搬送用コンテナ４０内に収容されている小型のシールドボックスＳａ内に収納されているボトルＢの在荷情報などが、外部通信ユニットＵによって、外部の情報ステーションＩＳに送信される。
【０１３０】
また、その搬送中において、例えば定期的に、温度センサ４２による温度情報の取得と、位置センサ４３による位置情報の取得と、が繰り返し行われる（ステップＳＴ１２）。そして、取得された温度情報および位置情報は、例えば外部通信器４４によって、適宜、外部の情報ステーションＩＳに送信される（ステップＳＴ１３）。これにより、情報ステーションＩＳにおいて、搬送用コンテナ４０内に収容されている小型のシールドボックスＳａ内に収納されているボトルＢの在荷情報などと、搬送中の温度情報および位置情報が、紐づけされて管理される。
【０１３１】
なお、収容されている小型のシールドボックスＳａの在荷情報などを、温度情報および位置情報と同時に、外部通信器４４によって、外部の情報ステーションＩＳに送信するようにしても良い。
【０１３２】
こうして、温度情報と位置情報との取得を繰り返しながら搬送されて、小型のシールドボックスＳａが収容された搬送用コンテナ４０が該当する病室５１などに到着すると、小型のシールドボックスＳａの取り出しが行われる（ステップＳＴ１４）。搬送用コンテナ４０内から小型のシールドボックスＳａの取り出しが行われるまで（ステップＳＴ１４のＮＯ）、上記ステップＳＴ１２〜の処理が繰り返される。
【０１３３】
そうして、搬送用コンテナ４０内からの小型のシールドボックスＳａの取り出しが行われることにより（ステップＳＴ１４のＹＥＳ）、搬送に係る一連の処理が終了する。
【０１３４】
図１１は、小型のシールドボックスＳａをサブの保管庫１に搬入する際の処理の流れを示すものである。
【０１３５】
病室５１などにおいて、搬送用コンテナ４０内から取り出された小型のシールドボックスＳａは、直ちに、小型の保管庫システムにおけるサブの保管庫１内に格納されることになる。
【０１３６】
その場合、まず保管庫制御部８０により、例えば、サブの保管庫１の開閉ドア３がオープンされたか否かがチェックされる（ステップＳＴ２１）。サブの保管庫１において、開閉ドア３のオープンが判断されるまで（ステップＳＴ２１のＮＯ）、このステップＳＴ２１での処理が繰り返される。
【０１３７】
ステップＳＴ２１において、開閉ドア３がオープンされたことが判断されると（ステップＳＴ２１のＹＥＳ）、収納室２０への小型のシールドボックスＳａの格納が行われる（ステップＳＴ２２）。小型のシールドボックスＳａの格納を行わない場合（ステップＳＴ２２のＮＯ）、そのまま処理は終了される。
【０１３８】
一方、収納室２０内に小型のシールドボックスＳａが格納されると（ステップＳＴ２２のＹＥＳ）、ステップＳＴ２３において、保管庫制御部８０により開閉ドア３がクローズされたか否かがチェックされる。サブの保管庫１において、開閉ドア３のクローズが判断されるまで（ステップＳＴ２３のＮＯ）、このステップＳＴ２３での処理が繰り返される。
【０１３９】
サブの保管庫１において、開閉ドア３がクローズされたことが判断されたとする（ステップＳＴ２３のＹＥＳ）。すると、格納された小型のシールドボックスＳａにおいては、ＲＦＩＤシステムＧのアンテナＡおよびタグリーダＲによって、ＲＦＩＤタグＴからのタグ情報の読み取りが行われる（ステップＳＴ２４）。
【０１４０】
そして、読み取ったタグ情報に基づいて在荷監視部Ｍにより在荷情報などが生成された後、生成された在荷情報などが、ＲＦＩＤシステムＧの外部通信ユニットＵによって、外部の情報ステーションＩＳに送られる（ステップＳＴ２５）。
【０１４１】
このようにして、搬入に係る一連の処理は終了される。これ以降、サブの保管庫１に搬送されるべくして搬送されたボトルＢは、このサブの保管庫１で保管・管理されることとなる。
【０１４２】
サブの保管庫１においては、開閉ドア３がクローズされた後にタグ情報の読み取りが行われるようにすることにより、サブの保管庫１においても、電磁波が庫外に漏出するのを確実に防止できる。
【０１４３】
上記したように、薬品などが収容されているボトルＢは、小型のシールドボックスＳａ内に収納されることによって電磁的にシールドされると共に、搬送用コンテナ４０により、低温状態に温度調整されたまま搬送されることになる。したがって、搬送時にも、収納中のボトルＢのタグ情報が周囲に漏れ出たり、不要な電磁波が混入するのを阻止できると共に、ボトルＢ内の薬品などの品質が温度により変化（劣化）したりするのを防止することが可能になる。
【０１４４】
また、搬送用コンテナ４０の搬送中の位置情報から、搬送経路を把握できるようになる。これにより、例えば、不審な場所などへの立ち寄りによって、不届き者によりボトルＢの中身が細工されるなどの危険性を排除でき、安全性の向上が可能となる。
【０１４５】
＜第３の実施の形態＞
上述した第１および第２の実施の各形態に係る保管庫システムにおいては、保管庫１が電磁シールドされていない場合に有効な例として、ＲＦＩＤシステムＧの外部通信ユニットＵなどを、ボックス本体部Ｈの外側（保管庫１内）に設置した場合について説明した。これに限らず、例えば図１２に示すように、ＲＦＩＤシステムＧのタグリーダＲ、在荷監視部Ｍ、表示ユニットＤ、および、外部通信ユニットＵを、冷蔵庫本体２の背面（裏面）８などから保管庫１の外側に引き出すように構成することもできる。漏磁防止策が必要となるものの、特に、保管庫１の外側に外部通信ユニットＵを配置することによって、外部との通信精度を格段に向上できる。
【０１４６】
その一方で、本実施の各形態に係る保管庫システムにおいては、少なくともシールドボックスＳ，Ｓａに設けられたＲＦＩＤシステムＧのアンテナＡをシールド空間Ｚ内に設置することが、アンテナＡの受信性を良くする上で好ましい。
【０１４７】
また、本実施の各形態に係る保管庫システムにおいては、一般的な冷蔵庫を保管庫１として用い、家庭や薬局などでの薬剤の管理を行うことも可能である。この場合、冷蔵庫内に収納される薬剤に予めＲＦＩＤタグを付し、その薬剤が保管された日時に基づいて、例えば、在荷監視部や外部の情報ステーションなどから、使用期限の過ぎた薬剤の交換などを通知するメッセージが送信されるようにしても良い。
【０１４８】
また、本実施の各形態においては、保管庫１（シールド空間Ｚ）内より持ち出したボトルの履歴を常に監視することもできる。
【０１４９】
その他、保管庫１としては、冷蔵庫に限らず、恒温槽またはインキュベータなども適用できる。
【０１５０】
上述したように、シールドボックスＳ，Ｓａは、保管庫１の収納室２０内に格納可能であって、ボトルＢを保管すると共に、特定周波数の電磁波が漏出するのを防止できるボックス本体部Ｈ，Ｈａと、ボトルＢに予め付されたＲＦＩＤタグＴのタグ情報を、特定周波数の無線通信により非接触で読み取るタグリーダＲ、アンテナＡ、および、アンテナＡを介して読み取ったタグ情報に基づいて、ボックス本体部Ｈ，Ｈａ内で保管されるボトルＢの在荷情報を管理する在荷監視部Ｍを有するＲＦＩＤシステムＧと、を備える。
【０１５１】
本発明によれば、ボトルＢを、保管庫１の収納室２０に格納可能なシールドボックスＳ，Ｓａ内で保管できるようになる。これにより、シールドボックスＳ，Ｓａが閉じた状態であれば、ボトルＢを管理するためのタグ情報を読み取る際にも、電磁波が庫外に漏出するのを確実に防止できる。したがって、保管されるボトルＢに関する各種の情報が第三者に漏れるのを容易に抑制することが可能となる。
【０１５２】
ＲＦＩＤシステムＧは、ボックス本体部Ｈ，Ｈａに備えられ、ボックス本体部Ｈ，Ｈａが閉状態の際に、タグ情報の読み取りを行うように構成されることを特徴とする。
【０１５３】
これにより、ボトルＢに予め付されたタグ情報を庫外に漏出させることなく、より正確、かつ、確実に読み取ることができる。
【０１５４】
ＲＦＩＤシステムＧは、さらに外部通信ユニットＵを備え、外部通信ユニットＵを介して、在荷監視部Ｍによって管理される在荷情報を外部に通信可能であることを特徴とする。
【０１５５】
これにより、読み取ったタグ情報などを外部に送信させることが可能となり、遠隔地などにおいて、タグ情報に基づいた在荷情報の確認が容易に可能となると共に、複数の保管庫システムを一括して管理することが可能となる。
【０１５６】
保管庫１は、収納室２０内に、少なくとも１つの棚板２１を着脱自在に取り付け可能な冷蔵庫であることを特徴とする。
【０１５７】
これにより、市販されている既製の冷蔵庫を、そのまま保管庫として利用することが可能であり、シールド性の確保が必要ない場合には、ボトルＢを保管するための単なる冷蔵庫（保管庫）としても利用できる。
【０１５８】
ボックス本体部Ｈ，Ｈａは、通気性を有することを特徴とする。
【０１５９】
これにより、シールド性を確保しつつ、ボトルＢを冷却した状態で保管できる。
【０１６０】
収納室２０を備えた保管庫１と、上記のいずれかに記載のシールドボックスＳ，Ｓａと、を備え、保管庫１の収納室２０内に、シールドボックスＳ，Ｓａが格納されてなることを特徴とする。
【０１６１】
これにより、ボトルＢを、保管庫１の収納室２０に格納させたシールドボックスＳ，Ｓａ内で保管できるようになる。よって、保管庫１で保管されたボトルＢを管理するためのタグ情報を読み取る際にも、シールドボックスＳ，Ｓａ内で読み取りを行うことによって、電磁波が保管庫１の庫外に漏出するのを確実に防止できる。したがって、保管されるボトルＢに関する各種の情報が第三者に漏れるのを容易に抑制することが可能となる。
【０１６２】
シールドボックスＳａを、ボトルＢを収納したままの状態で収容し、シールドボックスＳａごと搬送可能な搬送用コンテナ４０をさらに備え、搬送用コンテナ４０は、収納されているボトルＢの温度を検出する温度センサ４２、および、搬送時の位置を検出する位置センサ４３を備えることを特徴とする。
【０１６３】
これにより、ボトルＢを別の保管庫１まで移送させる際にも、シールドボックスＳａを保冷することができると共に、温度の検出と位置の検出とが可能となる。
【０１６４】
搬送用コンテナ４０は、収納されているボトルＢのＲＦＩＤシステムＧにより管理される在荷情報、温度センサ４２で検出した温度情報、および、位置センサ４３で検出した位置情報を、外部に通信可能な外部通信器４４を、さらに備えることを特徴とする。
【０１６５】
これにより、移送中の、ボトルＢの温度を管理しつつ、ボトルＢの搬送時の位置をトレースすることが可能となる。
【０１６６】
保管庫１をメインの保管庫とした場合において、メインの保管庫とは別体として搬送用コンテナ４０の搬送先に設けられ、搬送用コンテナ４０によって搬送されるシールドボックスＳａ内に収納されているボトルＢを、シールドボックスＳａごと格納可能なサブの保管庫１をさらに備えることを特徴とする。
【０１６７】
これにより、ボトルＢを単に保管するのみでなく、保管庫システム間の移送が容易とされる。
【０１６８】
サブの保管庫１は、シールドボックスＳａ内に収納されているボトルＢの在荷情報を外部に通信可能に構成されることを特徴とする。
【０１６９】
これにより、移送に伴うボトルＢの取り違えやボトルＢが行先不明になるなどの不都合を回避できる。
【０１７０】
以上、本発明の態様について、いくつかの実施の形態を例示して説明したが、各実施の形態は一例であり、特許請求の範囲に記載される発明の範囲は、発明の要旨を逸脱しない範囲内で種々変更できるものである。
【符号の説明】
【０１７１】
１            保管庫
３            開閉ドア
１０          開口部
１２，ＴＰ    認証付ロック機構
２０          収納室
２４          シャッタ部
３１          温度調整器
４０          搬送用コンテナ（搬送装置）
４１          保冷器
４２          温度センサ（温度検出手段）
４３          位置センサ（位置検出手段）
４４          外部通信器
５５          電源ユニット
６０          制御用温度計
８０          保管庫制御部
Ａ            アンテナ（アンテナ部）
Ｂ            ボトル
Ｇ            ＲＦＩＤシステム（管理装置）
Ｈ，Ｈａ      ボックス本体部
Ｍ            在荷監視部（管理制御部）
Ｒ            タグリーダ（タグ情報読み取り部）
Ｓ，Ｓａ      シールドボックス
Ｔ            ＲＦＩＤタグ（ＩＣタグ）
Ｕ            外部通信ユニット
【図１】
0006847432.tif 000002
【図２】
0006847432.tif 000003
【図３】
0006847432.tif 000004
【図４】
0006847432.tif 000005
【図５】
0006847432.tif 000006
【図６】
0006847432.tif 000007
【図７】
0006847432.tif 000008
【図８】
0006847432.tif 000009
【図９】
0006847432.tif 000010
【図１０】
0006847432.tif 000011
【図１１】
0006847432.tif 000012
【図１２】
0006847432.tif 000013